【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成される遊技盤と、前記遊技領域に突設する複数種類の突設部材と、所定条件の成立にもとづいて所定の表示結果を導出表示する表示装置と、を備え、遊技者に有利な特定遊技状態に制御するときに前記表示装置に予め定められた特定表示結果を導出表示する遊技機において、
前記遊技盤は、背部を視認可能な板状部材によって形成され、
前記遊技盤の後面側に設けられ、前記表示装置によって表示される領域以外であって、遊技者が背部を視認可能な遊技領域を装飾する造形部材を備え、
該造形部材は、前記複数種類の突設部材のうち少なくとも一の突設部材に近接して配置されることを特徴とする遊技機。
【請求項２】
前記複数種類の突設部材は、遊技球が通過可能な通過領域を形成する通過領域形成部材を含み、
前記造形部材は、前記通過領域形成部材に近接して配置されることを特徴とする請求項１記載の遊技機。
【請求項３】
前記複数種類の突設部材は、遊技球が入賞可能な入賞領域を形成する入賞領域形成部材を含み、
前記造形部材は、前記入賞領域形成部材に近接して配置されることを特徴とする請求項１又は請求項２記載の遊技機。
【手続補正２】
【補正対象書類名】明細書
【補正対象項目名】００１６
【補正方法】変更
【補正の内容】
【００１６】
また、複数種類の突設部材のうち少なくとも一の突設部材に近接して造形部材を配置するため、遊技領域に突設して設けられる突設部材と、造形部材とを一体的な装飾に見せることが可能となり、透明な合成樹脂により形成される遊技盤上に突設部材だけが設けられることによって目立ってしまうことを防止することができるため、装飾効果を向上させることができる。また、遊技領域に突設して設けられる突設部材と、造形部材とを一体的な装飾に見せることが可能となることで、遊技盤面上に配置する各種装置も配置設計が楽になると言う副次的な効果も得られる。
【手続補正３】
【補正対象書類名】明細書
【補正対象項目名】００１７
【補正方法】変更
【補正の内容】
【００１７】
（解決手段２）
前記複数種類の突設部材は、遊技球が通過可能な通過領域を形成する通過領域形成部材を含み、前記造形部材は、前記通過領域形成部材に近接して配置されることを特徴とする解決手段１記載の遊技機。
なお、本実施形態において、通過領域形成部材は、ゲート７４を形成する部材である。また、造形部材が通過領域形成部材に近接するとは、造形部材の表面を隆起するように構成することにより通過領域形成部材に近接するものであってもよいし、造形部材の表面を隆起させない場合であっても通過領域形成部材に造形部材の表面が近接するように配置するものであってもよい。また、通過領域形成部材の表面に造形部材の表面が近づくものであれば、遊技盤４の後面よりも突出して配置するものであってもよい。
【手続補正４】
【補正対象書類名】明細書
【補正対象項目名】００１８
【補正方法】変更
【補正の内容】
【００１８】
解決手段２に記載の遊技機によれば、通過領域形成部材に近接して造形部材を配置するため、遊技領域に突設する通過領域形成部材と、造形部材とを一体的な装飾に見せることが可能となり、透明な合成樹脂により形成される遊技盤上に通過領域形成部材だけが設けられることによって目立ってしまうことを防止することができるため、装飾効果を向上させることができる。また、遊技領域に突設して設けられる通過領域形成部材と、造形部材とを一体的な装飾に見せることが可能となることで、遊技盤面上に配置する各種装置も配置設計が楽になると言う副次的な効果も得られる。また、通過領域形成部材に近接して造形部材を配置するため、通過領域形成部材に接続される配線を隠蔽することができ、装飾効果を向上させることができる。
【手続補正５】
【補正対象書類名】明細書
【補正対象項目名】００１９
【補正方法】変更
【補正の内容】
【００１９】
（解決手段３）
前記複数種類の突設部材は、遊技球が入賞可能な入賞領域を形成する入賞領域形成部材を含み、前記造形部材は、前記入賞領域形成部材に近接して配置されることを特徴とする解決手段１または解決手段２記載の遊技機。
なお、本実施形態において、入賞領域形成部材は、可変入賞球装置７１、一般入賞口１３ａ〜１３ｃなどの入賞領域を形成するものである。また、造形部材が入賞領域形成部材に近接するとは、造形部材の表面を隆起するように構成することにより入賞領域形成部材に近接するものであってもよいし、造形部材の表面を隆起させない場合であっても入賞領域形成部材に造形部材の表面が近接するように配置するものであってもよい。また、入賞領域形成部材の表面に造形部材の表面が近づくものであれば、遊技盤４の後面よりも突出して配置するものであってもよい。
【手続補正６】
【補正対象書類名】明細書
【補正対象項目名】００２０
【補正方法】変更
【補正の内容】
【００２０】
解決手段３に記載の遊技機によれば、入賞領域形成部材に近接して造形部材を配置するため、遊技領域に突設して設けられる入賞領域形成部材と、造形部材とを一体的な装飾に見せることが可能となり、透明な合成樹脂により形成される遊技盤上に入賞領域形成部材だけが設けられることによって目立ってしまうことを防止することができるため、装飾効果を向上させることができる。また、遊技領域に突設して設けられる入賞領域形成部材と、造形部材とを一体的な装飾に見せることが可能となることで、遊技盤面上に配置する各種装置も配置設計が楽になると言う副次的な効果も得られる。また、入賞領域形成部材に近接して造形部材を配置するため、遊技盤の前面側から入賞領域に入賞した遊技球の収容経路を視認できないように構成することができ、装飾効果を向上させることができる。
【手続補正７】
【補正対象書類名】明細書
【補正対象項目名】００２１
【補正方法】変更
【補正の内容】
【００２１】
（解決手段４）
前記複数種類の突設部材は、前記遊技領域を区画する区画部材を含み、前記造形部材は、前記区画部材に近接して配置されることを特徴とする解決手段１乃至解決手段３のいずれかに記載の遊技機。
なお、本実施形態において、区画部材は、規制壁部材４０、案内レール１１などである。また、造形部材が区画部材に近接するとは、造形部材の表面を隆起するように構成することにより区画部材に近接するものであってもよいし、造形部材の表面を隆起させない場合であっても区画部材に造形部材の表面が近接するように配置するものであってもよい。また、区画部材の表面に造形部材の表面が近づくものであれば、遊技盤４の後面よりも突出して配置するものであってもよい。
【手続補正８】
【補正対象書類名】明細書
【補正対象項目名】００２２
【補正方法】変更
【補正の内容】
【００２２】
解決手段４によれば、区画部材に近接して造形部材を配置するため、遊技領域に突設する区画部材を目立たなくすることができるとともに区画部材を違和感なく配置することができるため、装飾効果を向上させることができる。
【手続補正９】
【補正対象書類名】明細書
【補正対象項目名】００２３
【補正方法】変更
【補正の内容】
【００２３】
（解決手段５）
前記造形部材は、前記遊技盤への取り付けを可能にする取付部と、立体的な形体を成す複数種類の造形体と、を備えた基本構成部材から構成されることを特徴とする解決手段１乃至解決手段４のいずれかに記載の遊技機。
なお、本実施形態において、取付部は、取付部５５ａであり、背面装飾体５０（この例では、箱体５５）に一体形成されるものでもよいし、別体に形成されるものでもよい。また、本実施形態において、造形体は、保持部材５６、左上装飾部材５３、左下装飾体５２、および右下装飾部材５４であり、背面装飾部材５０に一体形成されるものでもよいし、別体に形成されるものでもよい。
【手続補正１０】
【補正対象書類名】明細書
【補正対象項目名】００２５
【補正方法】変更
【補正の内容】
【００２５】
解決手段５に記載の遊技機によれば、遊技盤の後面側に立体的な形体を成す造形体を備えた基本構成部材から構成される造形部材を備えたため、遊技球の転動可能な領域においても立体的な装飾を施すことができ、従来の平面的な装飾が施された遊技機に比べて装飾効果を向上させることができる。また、遊技盤の後面側に造形部材を配置するため、広範囲で遠近感を表現でき、装飾効果を向上させることができる。
【手続補正１１】
【補正対象書類名】明細書
【補正対象項目名】００２６
【補正方法】変更
【補正の内容】
【００２６】
（解決手段６）
前記造形部材は、前記遊技盤への取り付けを可能にする取付部を備えた基本構成部材と、該基本構成部材の前面に重畳される複数種類の造形体と、から構成されることを特徴とする解決手段１乃至解決手段４のいずれかに記載の遊技機。
また、本実施形態において、取付部は、取付部５５ａであり、背面装飾体５０（この例では、箱体５５）に一体形成されるものでもよいし、別体に形成されるものでもよい。また、本実施形態において、基本構成部材は、箱体５５であり、平板状であってもよいし、ボックス状に形成されるものでもよいし、外周部分が隆起するように形成されるものでもよい。また、本実施形態において、造形体は、保持部材５６、左上装飾部材５３、左下装飾体５２、および右下装飾部材５４であり、複層構造を成すように配置するものであればよい。
【手続補正１２】
【補正対象書類名】明細書
【補正対象項目名】００２７
【補正方法】変更
【補正の内容】
【００２７】
解決手段６に記載の遊技機によれば、基本構成部材と、基本構成部材の前面に重畳される造形体と、から造形部材を構成するため、遊技球の転動可能な領域においても立体的な装飾を施すことができ、従来の平面的な装飾が施された遊技機に比べて装飾効果を向上させることができる。また、遊技盤の後面側に造形部材を配置するため、広範囲で遠近感を表現でき、装飾効果を向上させることができる。
【手続補正１３】
【補正対象書類名】明細書
【補正対象項目名】００２８
【補正方法】変更
【補正の内容】
【００２８】
（解決手段７）
前記表示装置は、前記基本構成部材に取り付けられることを特徴とする解決手段５または解決手段６に記載の遊技機。
なお、本実施形態において、基本構成部材に取り付けられるとは、箱体５５に取り付けられることである。
【手続補正１４】
【補正対象書類名】明細書
【補正対象項目名】００２９
【補正方法】変更
【補正の内容】
【００２９】
解決手段７に記載の遊技機によれば、造形部材の基本構成部材に表示装置を取り付け、造形部材を遊技盤の後面側に配置したため、表示装置を遊技盤の前面側に配置した場合に比べて広範囲で遠近感を表現でき、装飾効果を向上させることができる。また、造形部材によって遠近感を表現するとともに表示装置の表示によって相乗的に遠近感を表現できるため、装飾効果を向上させることができる。
【手続補正１５】
【補正対象書類名】明細書
【補正対象項目名】００３０
【補正方法】変更
【補正の内容】
【００３０】
（解決手段８）
前記表示装置は、前記基本構成部材の後面側に取り付けられ、前記基本構成部材は、前記表示装置を視認可能な開口部を有することを特徴とする解決手段７記載の遊技機。